(57)【要約】【課題】角質層内の成分分布を容易に可視化する。【解決手段】角質層内の成分分布を可視化するための成分分布可視化装置であって、所定の粘着部材により採取された角質層の各層を所定の質量分析により分析して、前記各層の面及び深さ方向の成分量情報が含まれた質量分析データを取得する質量分析手段と、前記質量分析手段により得られた前記各層の面及び深さ方向の成分量情報が含まれた質量分析データを用いて、前記各層の成分分布画像を取得する画像取得手段とを有することにより上記課題を解決する。【選択図】図１
2014013201.tif 000002
【特許請求の範囲】
【請求項１】
角質層内の成分分布を可視化するための成分分布可視化装置であって、
所定の粘着部材により採取された角質層の各層を所定の質量分析により分析して、前記各層の面及び深さ方向の成分量情報が含まれた質量分析データを取得する質量分析手段と、
前記質量分析手段により得られた前記各層の面及び深さ方向の成分量情報が含まれた質量分析データを用いて、前記各層の成分分布画像を取得する画像取得手段とを有することを特徴とする成分分布可視化装置。
【請求項２】
前記画像取得手段により得られた各層の成分分布画像の画素データを所定の方向にビニングするデータ処理手段を有することを特徴とする請求項１に記載の成分分布可視化装置。
【請求項３】
前記データ処理手段は、
前記画素データがビニングされた各層の成分分布画像を、前記所定の方向に所定の圧縮率で圧縮し、圧縮した画像を用いて角質層内の成分分布画像を生成することを特徴とする請求項２に記載の成分分布可視化装置。
【請求項４】
前記データ処理手段は、
前記角質層の深さ方向に対応させて配置された各層の成分分布画像の画素データを、前記深さ方向にビニングすることを特徴とする請求項２又は３に記載の成分分布可視化装置。
【請求項５】
前記質量分析手段は、
前記角質層の各層をＤＥＳＩ質量分析により分析して、前記質量分析データを取得することを特徴とする請求項１乃至４のいずれか一項に記載の成分分布可視化装置。
【請求項６】
角質層内の成分分布を可視化するための成分分布可視化方法であって、
所定の粘着部材により採取された角質層の各層を所定の質量分析により分析して、前記各層の面及び深さ方向の成分量情報が含まれた質量分析データを取得する質量分析手順と、
前記質量分析手順により得られた前記各層の面及び深さ方向の成分量情報が含まれた質量分析データを用いて、前記各層の成分分布画像を取得する画像取得手順とを有することを特徴とする成分分布可視化方法。
【請求項７】
前記画像取得手順により得られた各層の成分分布画像の画素データを所定の方向にビニングするデータ処理手順を有することを特徴とする請求項６に記載の成分分布可視化方法。
【請求項８】
前記データ処理手順は、
前記画素データがビニングされた各層の成分分布画像を、前記所定の方向に所定の圧縮率で圧縮し、圧縮した画像を用いて角質層内の成分分布画像を生成することを特徴とする請求項７に記載の成分分布可視化方法。
【請求項９】
前記データ処理手順は、
前記角質層の深さ方向に対応させて配置された各層の成分分布画像の画素データを、前記深さ方向にビニングすることを特徴とする請求項７又は８に記載の成分分布可視化装置。
【請求項１０】
前記質量分析手順は、
前記角質層の各層をＤＥＳＩ質量分析により分析して、前記質量分析データを取得することを特徴とする請求項６乃至９のいずれか一項に記載の成分分布可視化方法。
【請求項１１】
コンピュータを、
請求項１乃至５のいずれか一項に記載の成分分布可視化装置が有する各手段として機能させるための成分分布可視化プログラム。
【発明の詳細な説明】
【技術分野】
【０００１】
本願は、成分分布可視化装置、成分分布可視化方法、及び成分分布可視化プログラムに関する。
【背景技術】
【０００２】
従来から、例えば経皮吸収型の製剤等に含まれる有効成分が角質層へどの程度浸透しているか評価するため、有効成分の角質層への浸透の度合いを視覚的に表すことが求められている。一方、角質層は、一層あたり約０．００１ｍｍ、全層でも約０．０２０ｍｍと極めて薄いため、角質層を構成する個々の層に存在する成分の多寡を明瞭かつ簡便に可視化する手法は現在のところ存在していない。
【０００３】
例えば、従来における角質層・顆粒層から基底膜を含む表皮中の大まかな分布を示す方法としては、蛍光標識した有効成分を皮膚に浸透させ、切り出した皮膚の断面を蛍光顕微鏡や共焦点レーザ顕微鏡（Ｃｏｎｆｏｃａｌ  Ｌａｓｅｒ  Ｓｃａｎｎｉｎｇ  Ｍｉｃｒｏｓｃｏｐｅ：ＣＬＳＭ）により観察する方法や、飛行時間質量分析計（Ｔｉｍｅ  Ｏｆ  Ｆｌｉｇｈｔ  Ｓｅｃｏｎｄａｒｙ  Ｉｏｎ  Ｍａｓｓ  Ｓｐｅｃｔｒｏｍｅｔｅｒ：ＴＯＦ−ＳＩＭＳ）等の表面計測手法が知られている。
【発明の概要】
【発明が解決しようとする課題】
【０００４】
しかしながら、上述した従来の方法では、蛍光標識により経皮吸収性が変化する可能性を否定できず、切り出した皮膚の断面を観察するため、ヒトの皮膚に容易に適用することができない。また、ＴＯＦ−ＳＩＭＳ等ではイオン化効率が良くないことに加え、断面に存在する分子の絶対数が少なく、内因性分子の影響を受ける等の理由からＳＮ（Ｓｉｇｎａｌ  ｔｏ  ｎｏｉｓｅ）比の明確なイメージが得られることが少ない。更に、上述したように角質層の厚みは約０．００１ｍｍ程度と薄いため、角質層間の分子分布の違いを明確に区別可能な解像度及び感度を両立する手法は存在しない。
【０００５】
開示の技術は、上記の課題に鑑みてなされたものであり、角質層内の成分分布を容易に可視化する成分分布可視化装置、成分分布可視化方法、及び成分分布可視化プログラムを提供することを目的とする。
【課題を解決するための手段】
【０００６】
本発明の一観点によれば、上記目的を達成するために、角質層内の成分分布を可視化するための成分分布可視化装置であって、所定の粘着部材により採取された角質層の各層を所定の質量分析により分析して、前記各層の面及び深さ方向の成分量情報が含まれた質量分析データを取得する質量分析手段と、前記質量分析手段により得られた前記各層の面及び深さ方向の成分量情報が含まれた質量分析データを用いて、前記各層の成分分布画像を取得する画像取得手段とを有することを特徴とする。
【発明の効果】
【０００７】
開示の技術によれば、角質層内の成分分布を容易に可視化することが可能となる。
【図面の簡単な説明】
【０００８】
【図１】本実施形態に係る成分分布可視化装置の一例を示す図である。
【図２】本実施形態に係る成分分布可視化処理の実現可能なハードウェア構成の一例を示す図である。
【図３】本実施形態に係る成分分布可視化処理の一例を示すフローチャートである。
【図４】経皮吸収性を評価する試料の調製方法を説明するための図である。
【図５】角質層を採取するための粘着シートの構造の一例を示す図である。
【図６】ガラス基板上に貼り付けた粘着シートの一例を示す図である。
【図７】ＤＥＳＩ質量分析について説明するための図である。
【図８】各層の成分分布画像の取得を説明するための図である。
【図９】角質層の各層の成分分布画像の一例を示す図である。
【図１０】ヒートマップ表示とマスクロマトグラムとの関係を示す図である。
【図１１】経皮吸収の状態を可視化する方法を説明するための図である。
【図１２】本実施形態に係る経皮吸収状態の可視化方法を説明するための図である。
【図１３】本実施形態の可視化方法で得られた角層内成分分布の一例を示す図である。
【図１４】図９の各例に対応する角質層内の成分分布画像を示す図である。
【図１５】角質層内の成分分布画像のバリエーションの一例を示す図である。
【図１６】標準品の成分分布画像を用いた定量法を説明するための図（その１）である。
【図１７】標準品の成分分布画像を用いた定量法を説明するための図（その２）である。
【発明を実施するための形態】
【０００９】
以下、本発明の実施の形態について詳細に説明する。
【００１０】
＜成分分布可視化装置について＞
まず、本実施形態において、角質層内の成分分布を可視化する成分分布可視化装置の機能構成例について説明する。図１は、本実施形態に係る成分分布可視化装置の一例を示す図である。図１に示すように、本実施形態に係る画像処理装置１０は、入力手段１１と、出力手段１２と、記憶手段１３と、質量分析手段１４と、画像取得手段１５と、データ処理手段１６と、定量化手段１７と、送受信手段１８と、制御手段１９とを有するように構成される。
【００１１】
入力手段１１は、例えば成分分布可視化装置１０を使用するユーザ等からの成分分布可視化処理に関する各種指示の開始／終了、設定等の入力を受け付ける。なお、入力手段１１は、例えばＰＣ（Ｐｅｒｓｏｎａｌ  Ｃｏｍｐｕｔｅｒ）等の汎用のコンピュータであればキーボードやマウス等のポインティングデバイスを含む。また、入力手段１１は、例えば音声等により入力可能なマイク等の音声入力デバイスであっても良い。
【００１２】
出力手段１２は、入力手段１１により入力された内容や、入力内容に基づいて実行された内容等の出力を行う。なお、出力手段１２は、例えばディスプレイやスピーカ等を含む。また、出力手段１２は、プリンタ等の印刷デバイスを有していても良い。なお、上述した入力手段１１と出力手段１２は、例えば成分分布可視化装置１０がスマートフォンやタブレット端末等の場合、例えばタッチパネルのように入出力一体型の構成であっても良い。
【００１３】
記憶手段１３は、本実施形態において必要となる各種情報を記憶する。具体的には、本実施形態における成分分布可視化処理を実行するための各種プログラムや各種設定情報等を記憶する。また、記憶手段１３は、上述した各種情報を必要に応じて所定のタイミングで書き込んだり、読み出したりすることができる。
【００１４】
なお、記憶手段１３は、多種の情報の集合物であり、例えばキーワード等を用いて情報を検索し、抽出することができるように体系的に構成されているデータベースとしての機能も有していても良い。更に、記憶手段１３に記憶される情報は、送受信手段１８を介して通信ネットワークに接続された外部装置にアクセスして取得しても良い。
【００１５】
質量分析手段１４は、ユーザの指示等に応じて、所定の粘着シート（例えばスキンチェッカー（登録商標）等）により採取された角質層の各層を所定の質量分析（例えば、ＤＥＳＩ（Ｄｅｓｏｒｐｔｉｏｎ  Ｅｌｅｃｔｒｏｓｐｒａｙ  Ｉｏｎｉｚａｔｉｏｎ：脱離電界噴霧イオン化）等）により分析して、各層の面及び深さ方向の成分量情報が含まれた質量分析データを取得する。なお、質量分析手段１４による質量分析データ取得例については、後述する。また、取得された質量分析データ等は、記憶手段１３に記憶される
画像取得手段１５は、質量分析手段１４により得られた各層の面及び深さ方向の成分量情報が含まれた質量分析データを用いて、角質層の各層に含まれた成分（例えば、経皮吸収された製剤等に含まれた有効成分等）の分布画像（成分分布画像）を取得する。なお、画像取得手段１５により取得された成分分布画像は、出力手段１２により画面に表示させたり、記憶手段１３に記憶させる。
【００１６】
データ処理手段１６は、画像取得手段１５により得られた各層の成分分布画像の画素データを所定の方向にビニング（ｂｉｎｎｉｎｇ）する。また、データ処理手段１６は、画素データがビニングされた各層の成分分布画像を、所定の方向に所定の圧縮率で圧縮し、圧縮した画像を用いて角質層内の成分分布画像を生成する。
【００１７】
ここで、所定の方向とは、例えば角質層に含まれた成分が浸透していく深さ方向等を示す。また、所定の圧縮率とは、例えば１／５や１／１０等の所定の圧縮率であり、例えば画像取得手段１５により取得される層の数に対応して圧縮率を設定することができるが、これに限定されるものではない。
【００１８】
また、データ処理手段１６は、予め設定された複数の角質層内の成分分布の表現バリエーションの中から少なくとも１つを用いて生成しても良い。データ処理手段１６は、生成した角質層内の成分分布画像を出力手段１２等の画面に出力させてユーザ等に提示したり、記憶手段１３に記憶させたり、送受信手段１８を介して外部装置に送信したりすることが可能である。なお、データ処理手段１６による生成された角質層内の成分分布画像例については、後述する。
【００１９】
上述のように角質層内において可視化されるデータは、例えば製剤等に含まれる有効成分に限定されるものではない。
【００２０】
定量化手段１７は、画像取得手段１５により、採取された角質層の各層上に所定の成分を液下して得られた画像を用いて定量化を行う。なお、定量化手段１７による具体的な定量化例については、後述する。
【００２１】
送受信手段１８は、例えば通信ネットワーク等を用いて接続可能な外部装置から成分分布可視化処理を実現するための実行プログラムや、各処理に必要な情報等を送受信することが可能なインターフェースである。したがって、送受信手段１８は、例えば外部装置等から最新のパラメータ情報等を取得したり、各種情報を外部装置等に送信したりことが可能である。
【００２２】
制御手段１９は、画像処理装置１０の各構成全体の制御を行う。例えば、制御手段１９は、質量分析データの取得や、画像の取得及び生成における処理等のうち少なくとも１つを制御する。
【００２３】
＜成分分布可視化装置１０：ハードウェア構成例＞
本実施形態では、上述した成分分布可視化装置１０の各機能をコンピュータに実行させる実行プログラム（成分分布可視化プログラム）を生成し、例えば汎用のＰＣ、サーバ等にインストールすることにより、各処理を実現する。図２は、本実施形態に係る成分分布可視化処理が実現可能なハードウェア構成の一例を示す図である。
【００２４】
図２に示すように、コンピュータ本体は、入力装置２１と、出力装置２２と、ドライブ装置２３と、補助記憶装置２４と、メモリ装置２５と、各種制御を行うＣＰＵ（Ｃｅｎｔｒａｌ  Ｐｒｏｃｅｓｓｉｎｇ  Ｕｎｉｔ）２６と、ネットワーク接続装置２７とを有するよう構成され、これらはシステムバスＢで相互に接続されている。
【００２５】
入力装置２１は、例えばユーザ等が操作するキーボードやマウス等のポインティングデバイス、マイク等の音声入力デバイス等を有し、ユーザ等からのプログラムの実行等、各種操作信号を入力する。
【００２６】
出力装置２２は、本実施形態における処理を行うコンピュータ本体を操作するのに必要な各種ウィンドウやデータ等を表示するディスプレイを有し、ＣＰＵ２６が実行する制御プログラムの実行経過や結果等を表示する。
【００２７】
ここで、本発明においてコンピュータ本体にインストールされる実行プログラムは、例えばＵＳＢ（Ｕｎｉｖｅｒｓａｌ  Ｓｅｒｉａｌ  Ｂｕｓ）メモリやＣＤ−ＲＯＭ等の可搬型の記録媒体２８等により提供される。記録媒体２８は、ドライブ装置２３にセット可能であり、記録媒体２８に含まれる実行プログラムが、記録媒体２８からドライブ装置２３を介して補助記憶装置２４にインストールされる。
【００２８】
補助記憶装置２４は、ハードディスク等のストレージ手段であり、本実施形態に係る実行プログラムやコンピュータに設けられた制御プログラム等を記憶し、必要に応じて入出力を行う。
【００２９】
メモリ装置２５は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等であり、ＣＰＵ２６により補助記憶装置２４から読み出された実行プログラム等を格納する。なお、上述した補助記憶装置２４やメモリ装置２５は、１つの記憶装置として一体型に構成されていてもよい。
【００３０】
ＣＰＵ２６は、ＯＳ（Ｏｐｅｒａｔｉｎｇ  Ｓｙｓｔｅｍ）等の制御プログラム、及びメモリ装置２５に格納されている実行プログラムに基づいて、各種演算や各ハードウェア構成部とのデータの入出力等、コンピュータ全体の処理を制御することで、本実施形態に係る成分分布可視化処理を実現する。なお、プログラム実行中に必要な各種情報等は、補助記憶装置２４から取得し、実行結果等を格納してもよい。
【００３１】
ネットワーク接続装置２７は、インターネットやＬＡＮ（Ｌｏｃａｌ  Ａｒｅａ  Ｎｅｔｗｏｒｋ）等に代表される通信ネットワーク等と接続することにより、実行プログラムを通信ネットワークに接続されている外部装置等から取得したり、プログラムを実行することで得られた実行結果又は本実施形態における実行プログラム自体を外部装置等に提供したりする。
【００３２】
上述したハードウェア構成により、本実施形態に係る成分分布可視化処理を実行することが可能となる。また、実行プログラムをインストールして、汎用のパーソナルコンピュータ等で実現しても良い。
【００３３】
＜成分分布可視化処理例＞
次に、本実施形態に係る成分分布可視化処理の一例を説明する。図３は、本実施形態に係る成分分布可視化処理の一例を示すフローチャートである。
【００３４】
図３に示すように、成分分布可視化装置１０は、予め上腕部の部位から粘着シートで角質層を採取し、採取した角質層の各層をＤＥＳＩ質量分析により分析し、分析により各層の対象領域（Ｒｅｇｉｏｎ  ｏｆ  Ｉｎｔｅｒｅｓｔ：ＲＯＩ）の質量分析データを取得する（Ｓ０１）。
【００３５】
次に、成分分布可視化装置１０は、Ｓ０１の処理により得られた対象領域の質量分析データを用いて、例えば各層の対象領域に含まれる所定成分の分子のイオンの位置と強度との関係を所定の色のイメージで可視化した成分分布画像を生成して取得する（Ｓ０２）。
【００３６】
次に、成分分布可視化装置１０は、Ｓ０２の処理により得られた各層の成分分布画像の画素データを所定の方向にビニングする（Ｓ０３）。
【００３７】
次に、成分分布可視化装置１０は、Ｓ０３の処理により画素データがビニングされた各層の成分分布画像を、所定の方向に所定の圧縮率で圧縮し、圧縮した画像を用いて角質層内の成分分布画像を生成する（Ｓ０４）。
【００３８】
次に、成分分布可視化装置１０は、Ｓ０４の処理により得られた角質層内の成分分布画像を画面に表示する（Ｓ０５）。
【００３９】
なお、成分分布可視化装置１０は、必要に応じて、Ｓ０１の処理で採取した角質層の各層上に所定成分を滴下し、Ｓ０２の処理で得られる画像を用いて定量化を行う（Ｓ０６）。
【００４０】
ここで、成分分布可視化装置１０は、処理を終了するか否かを判断し（Ｓ０７）、例えばユーザによる終了指示等により、処理を終了する場合（Ｓ０７において、ＹＥＳ）、処理を終了する。また、処理終了しない場合（Ｓ０７において、ＮＯ）、Ｓ０１の処理に戻る。
【００４１】
なお、上述した処理では、Ｓ０４の処理において、ビニングされた各層の成分分布画像を、所定の方向に所定の圧縮率で圧縮しているが、本実施形態においてはこれに限定されるものではなく、例えば圧縮を行なわなくても良い。
【００４２】
＜テープストリッピングによる角質層採取＞
図４は、経皮吸収性を評価する試料の調製方法を説明するための図である。図４の例では、例えば試料に「ＩＰＳＡ（登録商標）  Ｍｅｔａｂｏｌｉｚｅｒ  モイストホワイト  Ｗ１（化粧液・試作品）」（４ＭＳＫ（４−ｍｅｔｈｏｘｙ  ｓａｌｙｃｉｌｉｃ  ａｃｉｄ  ｐｏｔａｓｓｉｕｍ  ｓａｌｔ）、約１％配合）を用いる。
【００４３】
まず、上腕部３１を石鹸洗浄後、約３０分待つ。次に、図４（Ａ）に示すように、例えば上腕部３１の４０×４０ｍｍ２の領域３２に対して、上述した試料を約０．７ｇ塗布し、室温で１時間静置する。次に、試料を塗布した領域３２を石鹸で洗浄する。
【００４４】
次に、図４（Ｂ）に示すように、例えばスキンチェッカー（プロモツール株式会社）等の粘着シート４０で領域３２の角質層を採取し、粘着シート４０の粘着部に付着した角質層に対して、例えばＤＥＳＩ質量分析を行う。なお、粘着シート４０は、粘着部材の一例である。粘着部材を用いた角質層の採取には、例えば一般的なセロハンテープ等を用いても良く、粘着性を有するその他の部材を用いても良い。
【００４５】
図５は、角質層を採取するための粘着シートの構造の一例を示す図である。図５に示すように、粘着シート４０は、例えば透明樹脂等からなる支持体４１と、角質層剥離用粘着部４２とを有している。更に、角質層剥離用粘着部４２は、粘着部保護用剥離シート４３を有している。角質層剥離用粘着部４２は、使用の際に粘着部保護用剥離シート４３を剥がして用いる。
【００４６】
なお、図５に示す粘着シートの形状やサイズについては、これに限定されるものではない。また、粘着シートを用いた経皮吸収試験の手法については、標準的な方法を用いることができるため、ここでの説明は省略する。
【００４７】
本実施形態では、例えば被験者を健常なヒト（４０代、男性１名）とし、被験者の角質層が付着した粘着シート４０の粘着面を中心部分から短冊状（例えば約５ｍｍ×３５ｍｍ）に切り取り、例えばガラス基板上に両面テープを用いて貼り付ける。
【００４８】
図６は、ガラス基板上に貼り付けた粘着シートの一例を示す図である。まず、図６（Ａ）に示すように、粘着シート４０を用いてテープストリッピング操作により、ヒトの角質層を皮膚の最外層から順次採取（１層目〜５層目）していく。
【００４９】
また、図６（Ｂ）に示すように、採取順に粘着シート４０の粘着面をガラス基板上に配置し、各層の対象領域（ＲＯＩ）を、例えば３４ｍｍ幅×５ｍｍ高さとして設定し、対象領域（ＲＯＩ）に対してＤＥＳＩ質量分析による分析を行う。
【００５０】
図６（Ｃ）は、ガラス基板上に貼り付けた粘着シートを示す実例画像である。実例では、例えば７５×２５ｍｍのガラス基板（スライドガラス）上に両面テープで貼り付けて用いる。なお、図６（Ｃ）に示す白ドット部分は、位置マーカーを示している。
【００５１】
ここで、上述した１回のテープストリッピング操作により何層の角質層が採取されるか、均一性がどの程度かという点に関しては、採取部位や、年齢、紫外線暴露の程度等によるため、厳密には顕微鏡観察等で別途検討する必要があるが、例えば１回のテープストリッピング操作あたり角質層１層採取したと仮定する。
【００５２】
＜ＤＥＳＩ質量分析＞
次に、上述した対象領域に対して行なわれるＤＥＳＩ質量分析について説明する。図７は、ＤＥＳＩ質量分析について説明するための図である。
【００５３】
図７（Ａ）に示すように、上述した対象領域（ＲＯＩ）に含まれる試料表面５０に対して、ノズル（Ｓｐｒａｙｅｒ  Ｔｉｐ）５１の先端部から２〜３μＬ／ｍｉｎ程度の所定の水／有機溶媒混液（例えばギ酸０．１％、アセトニトル５０％）をＮ２ガスによりスプレー状に吹き付ける。このとき、ノズル５１の先端部に３ｋＶ程度の電圧をかけることで、エレクトロスプレー現象により帯電した液滴が生成され、これをＮ２ガスにより試料表面５０に対してジェット状に噴霧する。
【００５４】
スパッタ現象により対象領域（ＲＯＩ）の試料表面５０から叩き出された分子は、気相（及び凝縮相）での電荷交換、ドロプレットピックアップ（Ｄｒｏｐｌｅｔ  Ｐｉｃｋｕｐ）等によりイオン化され、ガスジェットによる慣性及び大気圧下での電界（電場勾配）により、質量分析計の入口部（ＭＳ（Ｍａｓｓ  Ｓｐｅｃｔｒｏｍｅｔｒｙ）  Ｉｎｌｅｔ（例えば、局所サンプリング用延長加熱キャピラリー））５２に導かれる。
【００５５】
入口部５２に到達した分子イオンは、高真空（１０−５〜１０−１０Ｔｏｒｒ）の質量分析計内部に導入され、質量（厳密にはイオンの質量を電荷で割ったｍ／ｚ）とその強度の情報として記録される。このｍ／ｚは、各々の分子に固有であり、その強度がイオンの量に比例するため、例えば１回のＤＥＳＩ質量分析により、複数の分子の定性・定量情報を得ることが可能となる。
【００５６】
また、ＭＳ／ＭＳ（タンデム質量分析）を行う質量分析計では、目的イオンを装置内で単離し、ガスとの衝突で解裂した断片（フラグメント）イオンを検出することで、特異性の高い定性分析や、検出下限が低い高感度定量が可能となる。
【００５７】
このように、ＤＥＳＩ質量分析により、試料表面５０に付着した角質層の各層に含まれる多成分を１度に分析（同定・定量）することが可能となる。また、吹き付ける溶媒の組成や流量を制御することにより０．００１〜０．１ｍｍ程度の深さの分子まで抽出することが可能であるため、対象領域に対してテープストリッピングした角質層の各層中に含まれる分子を全て検出することも可能である。また、例えばテープストリッピングを用いればほぼ非侵襲に試料を採取可能であるため、ヒトの皮膚での解析も容易である。
【００５８】
本実施形態では、上述したＤＥＳＩ質量分析により得られたデータを質量分析データとして質量分析手段１４により取得する。
【００５９】
ここで、図７（Ａ）に示すαは、入射角（Ｉｎｃｉｄｅｎｔ  Ａｎｇｌｅ）を示し、図７に示すβは、集光角（Ｃｏｌｌｅｃｔｉｏｎ  Ａｎｇｌｅ）を示す。また、ｄ１は、ノズル５１の先端部から試料表面５０までの距離を示し、ｄ２は、試料表面５０から入口部５２の中心部までの距離を示す。ｄ３は、ノズル５１の先端部から入口部５２の中心部までの距離を示す。
【００６０】
上述したＤＥＳＩ質量分析を用いて、目的イオンのシグナル強度（感度）を向上させるためには、試料表面５０と、ノズル５１と、入力部５２との位置関係が重要となる。例えば実験により、目的イオンのシグナル強度、安定性の関係を確認して、最適条件を調べた結果、最適値はｄ１＝１．７５ｍｍ、ｄ２＝３．５ｍｍ、ｄ３＝０．５ｍｍ、α＝６０°であったが、ｄ３やαを変えると他のパラメータも付随して変わるため、試料ごとに個別に最適化する必要がある。
【００６１】
また、最適値は、ノズル５１から噴射される液滴、Ｎ２ガス圧力（流速）、試料表面５０に付着している試料等の状態、分析対象の試料分子の分子量・極性等により変わるため、その都度、適宜修正する。なお、上述したα、β、ｄ１、ｄ２は、図７（Ｂ）に示すような範囲（α＝０〜９０°、β＝５〜１０°、ｄ１＝１〜１０ｍｍ、ｄ２＝０〜２ｍｍ）に設定するのが標準的である。
【００６２】
また、図７に示す試料表面５０は、ＸＹ方向に任意の速度で精密かつ正確に動かすことが可能であるため、ノズル５１と入力部５２との相対位置を一定に保ちながら、所定の時間ごとにスパッタ位置を変えていくことで、各ポイントでの質量分析データ（上述した定性・定量情報等）を連続的に取得することが可能である。
【００６３】
したがって、本実施形態では、質量分析手段１４により、試料表面上の測定ポイント（ＸＹ）、検出したイオンの質量及び強度の計４次元の質量分析データを上述した各層に対して取得する。画像取得手段１５は、この質量分析データから、後述する専用ソフトウェアを用いることにより、任意の分子のイオンの試料表面上及び層ごとの位置と強度との関係を、所定の色のイメージで可視化（ビジュアル化）した成分分布画像を得ることが可能となる。この成分分布画像により、複数の分子の各層における空間的位置とその量を、簡便かつ直感的に示すことが可能となる。
【００６４】
＜各層の成分分布画像の取得について＞
次に、上述した各層における質量分析データを用いて可視化される各層の成分分布画像の取得方法について説明する。図８は、各層の成分分布画像の取得を説明するための図である。なお、図８（Ａ）、図８（Ｂ）、図８（Ｄ）に示す（１）〜（６）は、それぞれの測定位置に対応している。
【００６５】
上述したように、スパッタ位置を変えていくことで測定位置ごとに質量分析データを取得することが可能となる。そこで、図８（Ａ）に示すように、例えば対象領域（ＲＯＩ）に対してＸ−Ｙ座標を設定し、Ｘ方向の移動速度と移動距離、Ｙ方向のステップ数と移動距離（ステップサイズ）を設定する。図８（Ａ）の例では、例えば５ｍｍ×５ｍｍの対象領域（ＲＯＩ）に対し、Ｘ方向の移動速度０．２ｍｍ／秒、移動距離５ｍｍとして、Ｙ方向のステップ数を２０、ステップサイズ０．２５ｍｍ（ステップ数２０×０．２５ｍｍ＝移動距離５ｍｍ）と設定する。
【００６６】
図８（Ａ）の例では、例えば右上の始点（例えば（１））からライン状に、例えば２５秒間、測定モードに対応して取得される質量スペクトル（質量分析データ）が１つのデータセットとなる。これを、Ｙ方向下側に０．２５ｍｍずつ１９回ステップを繰り返すことで、計２０セットのデータが得られる。
【００６７】
図８（Ｂ）は、質量分析データの一例であり、例えば、図８（Ａ）に示す測定位置で得られたｍ／ｚ１６７のマスクロマトグラムとｍ／ｚ１６７に該当する分子イオンを含むＭＳスペクトルを示している。なお、マスクロマトグラムは、所定のイオンの強度トレースにより得られる。
【００６８】
図８（Ｃ）は、図８（Ｂ）に示すマスクロマトグラムのデータを、データ処理手段１６により、例えばＦｉｒｅＦｌｙ（登録商標）等のソフトウェアを用いてデータ変換するときに、ユーザにより設定される画面の一例を示している。ここでは、データ変換におけるビニング（区分け幅）等が設定される。例えば図８（Ａ）に示すＹ方向のデータポイント数が行数やステップサイズで決まるのに対し、図８（Ａ）に示すＸ方向では、測定マスレンジ、スキャンレート、自動取り込みゲインの設定値等でデータポイント数が変化する。
【００６９】
そこで、データ処理手段１６は、空間分解能をＸＹ方向とも同一とみなし、対象領域（ＲＯＩ）のＸＹ比と測定データのＸＹ比を一定にする場合には、例えばＸ方向のデータポイント数を、Ｙ方向の分解能に合わせるように設定されたビニング（例えばビニング数や区分け時間を設定）に基づき、ビニング処理を実行する。
【００７０】
なお、ＭＳ／ＭＳ測定等、シグナルの絶対強度が弱い（質量分析計に入るイオン量が絶対的に少ない）場合に、イオントラップ型の質量分析計では自動的にスキャン時間が長くなり、Ｘ方向のデータポイント数が減少するため、Ｙ方向の分解能に合わせてビニングすると、Ｘ方向側のデータが欠損することもある。このような場合には、例えばＭａｘｉｍｕｍ  Ｉｎｊｅｃｔｉｏｎ  Ｔｉｍｅ及びＭｉｃｒｏｓｃａｎｓ等の値を調整し、測定周波数の下限値を規定すると良い。
【００７１】
図８（Ｄ）は、画像取得手段１５により、例えば、図８（Ｃ）のビニング設定等により変換されたデータをＢｉｏＭａｐ（登録商標）等のソフトウェアを用いて可視化した画像を示している。図８（Ｄ）に示す画像は、例えば所定のｍ／ｚ分子のイオンの位置と強度の関係が所定の色のイメージで表現された画像（成分分布画像）である。
【００７２】
図８（Ｄ）では、例えばシグナル強度の高さを赤−青の色味で示している（例えば、高強度が赤、中間が緑、低強度が青とした赤−青スケールのヒートマップ等）。このように、分子固有の質量を持つ成分が二次元空間のどこにどの程度存在するかを、分布と強度のイメージングデータとして示すことが可能となる。
【００７３】
なお、図８（Ｄ）に示す画像を生成するときの空間分解能に対して、上述した図７の入力部５２の加熱キャピラリー温度が影響するため、加熱キャピラリー温度についても最適値を設定しておくと良い。
【００７４】
＜角質層の各層の成分分布画像の具体例＞
次に、上述した質量分析データを用いて、画像取得手段１５により取得される各層の成分分布画像の具体例について説明する。図９は、角質層の各層の成分分布画像の一例を示す図である。
【００７５】
図９（Ａ）に示すように、例えば、幅３４ｍｍ×高さ５ｍｍの対象領域（ＲＯＩ）の右上を始点に、対照部（製品無塗布部）、第５層〜第１層の順に、所定の移動速度（例えば０．１２５ｍｍ／秒×２７２秒）でライン状に質量スペクトルを取得し、所定のステップサイズ（例えば０．２ｍｍ）で、順次に下方向に移動することによりデータセット（質量分析データ）を２５本分取得する。
【００７６】
ここで、質量分析の測定モードは、ｍ／ｚ５０−２５０のＭＳスキャン測定に加え、特異性の確認のため、ｍ／ｚ１６７からのＭＳ／ＭＳプロダクトイオン測定も行う。
【００７７】
図９（Ｂ）〜図９（Ｄ）は、上述のように取得された質量分析データを用いて、画像取得手段１５により取得された各層の成分分布画像を示している。例えば、図９（Ｂ）及び図９（Ｃ）は、ｍ／ｚ５０−２５０のＭＳスキャン測定により得られた成分分布画像の一例を示し、図９（Ｄ）は、特異性の確認のため、ｍ／ｚ１６７からのＭＳ／ＭＳプロダクトイオン測定により得られた成分分布画像の一例を示す。
【００７８】
より具体的には、図９（Ｂ）は、上述した４ＭＳＫに相当するｍ／ｚ１６７の成分分布画像を示しており、図９（Ｃ）は、例えばｍ／ｚ１８７の成分分布画像を示しており、図９（Ｄ）は、４ＭＳＫに相当するｍ／ｚ１６７のＭＳ／ＭＳプロダクトイオン測定で生成したｍ／ｚ１２３の成分分布画像を示している。
【００７９】
図９（Ｂ）に示す成分分布画像では、上述した化粧液から角質層内に移行（経皮吸収）した４ＭＳＫ（ｍ／ｚ１６７）の存在量が二次元平面上の赤−青スケールで赤く明瞭に表示されている。また、角質層の各層間の違いや角質層表面の二次元分布の違いが明確に表示されている。
【００８０】
図９（Ｄ）の成分分布画像に赤−青スケールで表示されているｍ／ｚ１２３は、４ＭＳＫからＣＯ２が脱離した特徴的な断片イオンである。したがって、ｍ／ｚ１６７→１２３のＭＳ／ＭＳプロダクトイオン測定により得られるシグナルは、ほぼ一義的に４ＭＳＫ由来として帰属可能である。
【００８１】
図９（Ｂ）の画像と、図９（Ｄ）の画像と比較すると、観測した対象領域（ＲＯＩ）が異なるため二次元分布の様相は異なるが、角質層間の量の傾向は同一であり、今回の条件下では、第２層、３層に４ＭＳＫが多く局在していることが示されている。
【００８２】
なお、第５層目の右隣に「対照」と表記した試料は、上述した化粧液を塗布せずに同様の洗浄操作を行った部位から採取した角質層である。対照部位では、ｍ／ｚ１６７、ｍ／ｚ１６７→１２３ともシグナルが観測されていないことから、図９（Ｂ）及び図９（Ｄ）に示したｍ／ｚ１６７、ｍ／ｚ１６７→１２３とも角質層内の４ＭＳＫを特異的に検出しているといえる。
【００８３】
また、図９（Ｃ）は、４ＭＳＫとは異なるｍ／ｚ１８７を示す成分の分布画像を示している。この分子の構造は未同定ではあるが、明らかに４ＭＳＫと異なる角質層間分布が示されている。この分子の構造は、上述した対照部位の角質層からも検出されたことから、皮膚由来の内因性分子と推定され、角質層の深部ほどその強度が高かった。
【００８４】
上述したように、ＤＥＳＩ質量分析により、複数の分子を解析するとともに、有効成分のみならず内因性分子や基剤成分の経皮吸収動態も同時に解析可能である。このようなＤＥＳＩ質量分析のデータを用いて可視化される成分分布画像は、視覚に訴え、分かりやすいため、経皮吸収性を制御した処方の開発にも有用となる。
【００８５】
＜成分分布画像とマスクロマトグラムとの関係＞
次に、上述した画像取得手段１５により得られる各層の成分分布画像のヒートマップ表示と、ＤＥＳＩ質量分析により得られるマスクロマトグラムとの関係について説明する。図１０は、ヒートマップ表示とマスクロマトグラムとの関係を示す図である。
【００８６】
図１０（Ａ）は、各層におけるｍ／ｚ１６７を示す成分の分布画像を示しており、図１０（Ｂ）は、図１０（Ａ）に示す成分分布画像を得るために用いられたマスクロマトグラムの一例を示している。図１０（Ａ）に示すＬｉｎｅ１〜６は、図１０（Ｂ）に示すＬｉｎｅ１〜６のマスクロマトグラムに対応している。
【００８７】
例えば、図１０（Ｂ）に示すＬｉｎｅ１におけるｍ／ｚ１６７分子の強度が強い部分は、図１０（Ａ）の成分分布画像上で赤く表示されており、図１０（Ｂ）に示すｍ／ｚ１６７の強度に対応させて、図１０（Ａ）の成分分布画像上で赤−青のヒートマップ表示がなされている。
【００８８】
このように、図１０（Ａ）は、図１０（Ｂ）に示す強度情報に基づいた色表示がなされているため、図１０（Ａ）に示す成分分布画像により、分子固有の質量を持つ成分が二次元空間のどこにどの程度存在するかを表示することが可能である。
【００８９】
＜経皮吸収状態を可視化する方法＞
次に、上述した角質層の断面方向における経皮吸収状態（成分分布）を可視化する方法を説明する。図１１は、経皮吸収の状態を可視化する方法を説明するための図である。なお、図１１の例では、従来手法との違いを明確化するために、図１１（Ａ）に従来の可視化方法を示し、図１１（Ｂ）に本実施形態における可視化方法を示す。
【００９０】
図１１（Ａ）に示すように、例えば従来の可視化方法では、所定の領域の表皮を切り出し、１層あたり約１μｍ程度の角質層が含まれた切片の断面を観測面（データ取得面）として可視化する。この方法では、単に表面近傍のみの観測のため低感度の結果しか得られず、ヒトの皮膚への応用が困難となる。また、角質層間における経皮吸収の差についても、観測できる分解能の制約から把握することができない。
【００９１】
これに対し、図１１（Ｂ）に示す本実施形態の可視化方法では、上述したテープストリッピング操作で採取した角質層（各層約１μｍ程度）の平面（図１１（Ｂ）の矢印方向から見た面）を観測面（データ取得面）とし、この観測面から得られた情報を集約及び積層して断面方向の情報とすることで、成分分布を高感度に可視化する。
【００９２】
すなわち、図１１（Ｂ）の観測面から得られる情報は、上述したようにＤＥＳＩ質量分析により約１μｍの層に含まれる成分を層の深さ方向（例えばＺ方向となる矢印６０方向）で検出し、それを面全体（ＸＹＺの三次元）の成分分布情報として取得する。したがって、従来の切片の断面方向の表面近傍のみを観測する従来の可視化方法と比べて高感度な（ＳＮが良い）結果が得られる。以下、本実施形態の可視化方法について具体的に説明する。
【００９３】
図１２は、本実施形態に係る経皮吸収状態の可視化方法を説明するための図である。図１２（Ａ）は、テープストリッピングにより採取した角質層の対象領域を示し、図１２（Ｂ）は、上述した各層の成分分布画像を示す。また、図１２（Ｃ）及び図１２（Ｄ）は、角質層内の成分分布画像を示す。
【００９４】
まず、図１２（Ａ）に示す所定の対象領域（例えば３４×５ｍｍ）に対して、例えば高さ方向（すなわち、角質層の深さ方向（断面方向））の移動速度を０．１２５ｍｍ／秒とし、例えば幅方向のステップサイズを０．２ｍｍとしてスキャン測定を行い、幅方向のデータ数を２５としてデータを取得する。このとき、高さ／幅比は、３４／５となっている。
【００９５】
データ処理手段１６は、上述したデータから画像取得手段１５により生成された各層の成分分布画像の画素を取得し、図１２（Ａ）に示す対象領域から取得したデータの高さ方向のビニングを行うことで、図１２（Ｂ）及び図１２（Ｃ）に示す各層の成分分布画像を生成する。
【００９６】
図１２（Ｂ）の例は、二次元平面上の成分分布を、図１２（Ａ）に示す対象領域（ＲＯＩ）と同様のＸＹ比で表しており、観測平面と相似の画像を表示するため、高さ方向のビニング数（データポイント数）を１７０としている。
【００９７】
図１２（Ｃ）の例は、角質層の断面上の成分分布として表すため、高さ方向（すなわち縦方向）のビニング数を例えば２５としている。なお、幅方向（すなわち横方向）のデータポイント数は、図１２（Ｂ）及び図１２（Ｃ）ともに、横方向に０．２ｍｍステップで取得したデータ数の２５である。図１２（Ｃ）の例では、データ処理手段１６により、画像の幅方向と高さ方向に含まれる画素数が揃えてあるが、これに限定されるものではない。
【００９８】
ここで、データ処理手段１６は、例えば図１２（Ｂ）や図１２（Ｃ）に示すような高さ方向のビニングを行う場合に、高さ方向における画像の隣接する所定数の画素を１つの画素としてビニングし、例えばその隣接する所定数の画素データの平均値がその１つの画素のデータとなるよう処理する。
【００９９】
すなわち、ビニング処理では、例えば複数の画素を用いて１つの画素を生成し、それを各方向に移動することで、全体として画素が調整された画像が生成される。これにより、図１２（Ｂ）に示す成分分布画像や図１２（Ｃ）に示す成分分布画像において、高さ方向の画像の平滑化が行なわれた成分分布画像を得ることが可能となる。特に、図１２（Ｃ）では、図１２（Ｂ）よりも多くの画素を用いて平滑化されているため、成分分布が認識しやすい画像を生成することができる。
【０１００】
また、図１２（Ｂ）に示す各層の成分分布画像は、図１１（Ｂ）で説明したように、約１μｍの厚さの角質層の各層の三次元の成分分布情報を表しているため、図１２（Ｃ）に示すように、図１２（Ｂ）に示す画像を高さ方向（すなわち縦方向）のビニング数を２５に少なくすることは、角質層の各層の断面から見た画像に近似する。
【０１０１】
更に、本実施形態では、図１２（Ｃ）に示す画像に対して、データ処理手段１６は、画像のＸＹ比率（Ｘ：高さ方向、Ｙ：幅方向）を変更し、Ｘ方向に圧縮して、図１２（Ｄ）に示す角質層内の成分分布画像を生成する。なお、図１２（Ｄ）の例では、圧縮率を１：０．２（高さ／幅比：５／２５）としているが、これに限定されるものではない。図１２（Ｄ）に示すように圧縮処理を行うことで、角質層としての成分分布として捉えることができ、所定の成分が角質層内のどの層まで浸透しているかや、角質層内のどの層に所定の成分が高濃度に存在するか等を視覚的・直感的に把握することができる。
【０１０２】
図１３は、本実施形態の可視化方法で得られた角質層内の成分分布画像の一例を示す図である。なお、図１３（Ａ）は、上述のように対象領域（ＲＯＩ）と同様のＸＹ比となるように高さ方向のデータポイント数をビニングした成分分布画像を単純に圧縮した画像を示し、図１３（Ｂ）は、上述した図１２（Ｃ）と図１２（Ｄ）に示す角質層内の成分分布画像、すなわち角質層を断面方向から見た画像に近似させるビニングを行なった成分分布画像を示す。
【０１０３】
図１３（Ｂ）の例では、上述したように、高さ方向のビニング数を通常より少なく調整してから圧縮しているため、図１３（Ａ）に示す単純な圧縮画像と比較して、角質層内のどの層に所定の成分が高濃度に存在するか視覚的・直感的に分かりやすく、かつより自然に表現されており、角質層の各層を断面方向から見るイメージと近くなっている。
【０１０４】
更に、図１４は、図９の各例に対応する角質層内の成分分布画像を示す図である。図１４（Ａ）は、図９（Ｂ）の４ＭＳＫに相当するｍ／ｚ１６７の角質層内の成分分布画像を示し、図１４（Ｂ）は、図９（Ｃ）のＵｎｋｎｏｗｎに相当するｍ／ｚ１８７の角質層内の成分分布を示している。なお、図１４（Ａ）、（Ｂ）はともに、上述した図１２（Ｃ）、（Ｄ）と同様のビニング処理及び圧縮処理を施したものである。
【０１０５】
図１４（Ａ）に示す角質層内の成分分布画像では、図９（Ｂ）に対応して角質層の第２層目と第３層目にｍ／ｚ１６７の成分がより高濃度に存在していることが示されている。また、同様に、図１４（Ｂ）に示す角質層内の成分分布画像でも、図９（Ｃ）に対応して角質層の第４層目と第５層目にｍ／ｚ１８７の成分がより高濃度に存在していることが示されている。
【０１０６】
上述したように、角質層の各層の成分分布画像を取得するのに用いられる二次元平面データ（テープストリッピングした各層の成分の位置と量の情報）を、角質層を断面として見たときの深さ方向に重ねた積層情報として用いる。このとき、単に平面情報のＸＹ比を変えて積層するのではなく、ビニング操作によりデータを平滑化することで、角質層を断面方向から見たときの情報に近似することが可能となる。
【０１０７】
このように角質層内の成分分布画像を可視化することで、解像度が高い装置や手法を使うことなく、角質層間における経皮吸収の差を明確に区別して把握することが可能となる。
【０１０８】
＜表現方法のバリエーション例＞
ここで、上述した角質層内の成分分布画像は、例えばヒートマップ表示による画像例を用いて説明したが、本実施形態において生成される画像例については、これに限定されるものではない。例えば蛍光プローブを用いた検出法等を模したバリエーションとして表示させても良い。
【０１０９】
図１５は、角質層内の成分分布画像のバリエーションの一例を示す図である。図１５（Ａ）は、上述したヒートマップ表示の角質層内の成分分布画像の一例を示す図であり、図１５（Ｂ）は、青−白スケール（Ｂｌｕｅ−Ｗｈｉｔｅ  ｓｃａｌｅ）で表示した角質層内の成分分布画像の一例を示す図である。
【０１１０】
また、図１５（Ｃ）は、黒−白スケール（Ｂｌａｃｋ−Ｗｈｉｔｅ  ｓｃａｌｅ）で表示した角質層内の成分分布画像の一例を示す図であり、図１５（Ｄ）は、赤い温度スケール（Ｒｅｄ  Ｔｅｍｐｅｒａｔｕｒｅ  ｓｃａｌｅ）で表示した角質層内の成分分布画像の一例を示す図である。
【０１１１】
更に、図１５（Ｅ）は、緑−白スケール（Ｇｒｅｅｎ−Ｗｈｉｔｅ
ｓｃａｌｅ）で表示した角質層内の成分分布画像の一例を示す図である。
【０１１２】
なお、図１５（Ａ）〜（Ｅ）は、同一の角質層内の成分分布を示し、表示方法を変化させたものである。また、バリエーションの種類は、図１５（Ａ）〜（Ｅ）に示す例に限定されるものではない。本実施形態では、上述したバリエーションのうち、予め成分の内容等に応じた表現方法を少なくとも１つ設定しておき、設定されたバリエーションで角質層内の成分分布画像を生成して、画面に表示すると良い。
【０１１３】
＜定量化について＞
ここで、上述したＤＥＳＩ質量分析での定量には、測定部位の状態に依存した目的シグナルの強度変化を補正するため、安定同位体標識した内部標準が不可欠とされている。一方、ヒトの皮膚中成分の定量を行う場合、内部標準物質の添加は安全性上不可能である。
【０１１４】
そこで、本実施形態では、内部標準法による定量の代替法として、外部標準法（絶対検量線法）による定量を行う。
【０１１５】
図１６、図１７は、標準品の成分分布画像を用いた定量法を説明するための図（その１、その２）である。図１６（Ａ）の例では、テープストリッピングした角質層上に滴下した４ＭＳＫの成分分布画像から得た定量結果（１回目、２回目）が示されている。
【０１１６】
図１６（Ａ）に示すように、角質層の適度な疎水性のため、滴下した試料溶液は良好な円形を示している。乾燥後のスポットから得られた成分分布画像は、各スポットとも適度に均質であり、滴下した試料がほぼ均質に分布していることを示している。
【０１１７】
また、図１６（Ｂ）に示すように、検量線は２．５〜２５０ｎｇの間でｒ２＝０．９９６〜０．９９８と良好な直線性を示している。なお、２セットの繰り返しの再現性も良好であった。
【０１１８】
更に、図１６（Ｂ）に示すような検量線に基づいて、外部標準法でテープストリッピングの角質層（図９又は図１４）中の４ＭＳＫ量を見積もると、第１層が２．２ｎｇ／ｍｍ２、第２層〜第５層がそれぞれ４．２、４．０、２．７、１．９ｎｇ／ｍｍ２であった（図１７）。
【０１１９】
約０．００１ｍｍのテープストリッピングの角質層から全ての４ＭＳＫが抽出・検出されていると仮定すると計１４．９ｎｇ／ｍｍ２が角質層内に経皮吸収されて移行していることになる。上述した図４の試料調製方法で説明したように、この場合の４ＭＳＫの適用量は４．３８μｇ／ｍｍ２なので（１％、４ＭＳＫ×０．７ｇ／４０×４０ｍｍ２）、第５層までの経皮吸収率は０．３４％と見積もることができる。
【０１２０】
例えば、従来の手法（例えば瞬間接着剤で剥離した角質層（複数層）中の４ＭＳＫ量をＬＣ／ＭＳで測定した場合）の４ＭＳＫの経皮吸収率は約１％以下とされていることから、上述した手法でもほぼ妥当な定量値が得られるといえる。
【０１２１】
上述したように、成分分布画像を用いることで、成分分布の高精度な定量化を実現することが可能となる。なお、上述した定量化は、定量化手段１７によって実現することができ、定量化する内容については、これに限定されるものではない。
【０１２２】
上述したように、本実施形態によれば、角質層内の成分分布を容易に可視化することが可能となる。また、製剤だけでなく基剤や活性剤等、複数の成分を一度に観測・評価することも可能なため、処方開発にも有用となる。更に、テープストリッピングにより得られる角質層の各層の二次元平面データは、ＩＲ（赤外吸収スペクトル）やラマンスペクトル等の幅広い分析データにも使えるため汎用性がある。
【０１２３】
以上、本発明の好ましい実施例について詳述したが、本発明に係る特定の実施形態に限定されるものではなく、特許請求の範囲に記載された本発明の要旨の範囲内において、種々の変形、変更が可能である。
【符号の説明】
【０１２４】
１０  成分分布可視化装置
１１  入力手段
１２  出力手段
１３  記録手段
１４  質量分析手段
１５  画像取得手段
１６  データ処理手段
１７  定量化手段
１８  送受信手段
１９  制御手段
２１  入力装置
２２  出力装置
２３  ドライブ装置
２４  補助記憶装置
２５  メモリ装置
２６  ＣＰＵ
２７  ネットワーク接続装置
２８  記録媒体
３１  上腕部
３２  領域
４０  粘着シート
４１  支持体
４２  角質層剥離用粘着部
４３  粘着部保護用剥離シート
５０  試料表面
５１  ノズル
５２  入口部
【図１】
2014013201.tif 000003
【図２】
2014013201.tif 000004
【図３】
2014013201.tif 000005
【図４】
2014013201.tif 000006
【図５】
2014013201.tif 000007
【図７】
2014013201.tif 000008
【図１１】
2014013201.tif 000009
【図６】
2014013201.tif 000010
【図８】
2014013201.tif 000011
【図９】
2014013201.tif 000012
【図１０】
2014013201.tif 000013
【図１２】
2014013201.tif 000014
【図１３】
2014013201.tif 000015
【図１４】
2014013201.tif 000016
【図１５】
2014013201.tif 000017
【図１６】
2014013201.tif 000018
【図１７】
2014013201.tif 000019